(57)【要約】【課題】  鞄類のファスナーロック装置において、鞄類の外観にロック機構を露出することなく、ファスナーのスライダーをロック／アンロックする機能を持たせ、デザイン性及び利便性を上げる。【解決手段】  鞄類２の開口に設けられたファスナー３は、２個のスライダー４，５を備え、一方のスライダー４の裏面側に、スライダーを突き合わせてファスナーを閉じた状態にしたときスライダーを互いにロックするための係合用突起４１を備え、他方のスライダー５の裏面側に、スライダーを突き合わせてファスナーを閉じた状態にしたとき係合用突起４１と係合してスライダーを互いにロックするロックユニット５１を備え、ロックユニット５１は、リモコン装置からの操作指示に応じて動作され係合用突起４１と係合するロック機構５４と、ロック機構５４を動作させる駆動部と、リモコン装置からのワイヤレス信号を受信して駆動部の動作を制御する電子回路と、電源部と、を備えている。【選択図】  図３
2019065535.tif 000002
【特許請求の範囲】
【請求項１】
鞄類の開口に設けられたファスナーのスライダーをロック／アンロックする鞄類のファスナーロック装置において、
前記ファスナーは、２個のスライダーを備え、
前記スライダーの一方の裏面側に、前記２個のスライダーを突き合わせてファスナーを閉じた状態にしたとき前記２個のスライダーを互いにロックするための係合用突起を備え、
前記スライダーの他方の裏面側に、前記２個のスライダーを突き合わせてファスナーを閉じた状態にしたとき前記係合用突起と係合して前記２個のスライダーを互いにロックするロックユニットを備え、
前記ロックユニットは、リモコン装置からの操作指示に応じて動作され前記係合用突起と係合するロック機構と、前記ロック機構を動作させる駆動部と、前記リモコン装置からのワイヤレス信号を受信して前記駆動部の動作を制御する電子回路と、前記駆動部及び電子回路に電源を供給する電源部と、を備えていることを特徴とする鞄類のファスナーロック装置。
【請求項２】
前記係合用突起は、前記スライダーの移動方向に延びる鍵穴を備え、
前記ロック機構は、前記２個のスライダーを突き合わせてファスナーを閉じた状態にしたとき前記鍵穴に貫通される鍵状のロックレバーを備え、
前記ロックレバーは、前記スライダーのロック時に前記駆動部により回転駆動されることにより前記係合用突起との係合をロックすることを特徴とする請求項１に記載の鞄類のファスナーロック装置。
【請求項３】
前記ロックユニットは、前記２個のスライダーが突き合わされたことを検出するスイッチを備え、前記スイッチにより前記２個のスライダーが突き合わされたことが検出されると、前記駆動部が動作可能な待機状態となり、
前記ロック機構は、異常時にロック解除のために外部から手動で回転操作される解除用ギアを備えていることを特徴とする請求項１又は請求項２に記載の鞄類のファスナーロック装置。
【請求項４】
前記電子回路は、前記リモコン装置との間でワイヤレス交信する通信モジュールと、この通信モジュールによる交信結果に応じて動作するマイコンと、を備え、
前記マイコンは、前記通信モジュールを介して前記リモコン装置から送出されたロック／アンロック信号を受信したとき、前記駆動部を動作させて前記ロック機構を動作させ、また、鞄類と前記リモコン装置とが所定距離以上に離れた状態になったと判定したとき、前記駆動部を動作させて前記ロック機構によりスライダーをロックし、又は前記通信モジュールを介して前記リモコン装置に警告信号を送出する、ことを特徴とする請求項１乃至請求項３のいずれか一項に記載の鞄類のファスナーロック装置。
【発明の詳細な説明】
【技術分野】
【０００１】
本発明は、２個のファスナーを備えた鞄類に使用され、２個のファスナーが閉じた状態でそのスライダーをロック／アンロックする鞄類のファスナーロック装置に関する。
【背景技術】
【０００２】
従来の市販の鞄類にあって、開閉部を鍵付きとする場合、錠前やダイヤル式ロックを鞄類の表面側に備えている。しかしながら、そのような構成は、デザイン性を損ない易いことから、デザイン性の高い鞄類には採用されていない。また、錠前又はダイヤル式ロック付き鞄類に財布を入れていると、飲食や買い物をして財布を出し入れするとき、鞄類を解錠する手間と煩わしさがあった。また、鍵を紛失し、又は暗証番号を忘れた場合、鍵を壊さなければならず、そうならないために鍵を使用しなくなることもあった。また、鍵の付いていないショルダーバッグやリュックサック等においては、免許証等の個人情報やビジネス情報、貴重品等の詐取、窃盗の危険性があり、人込みの中で貴重品が抜き取られる窃盗被害を受け易くなる。電車内等では鞄類の置き忘れや置き引きの危険性もある。
【０００３】
中でも、ファスナーを備えた鞄類にあって、ファスナーを閉じた状態でそのスライダーをロックするために、鞄類の表側に設けられた施錠・解錠部材と、それに係合される裏側に設けられた受け部材とを用いる鞄類のファスナー錠が知られている（例えば特許文献１参照）。
【０００４】
また、収納バッグを電気的に施錠する施錠手段と、通信手段により受信した情報が暗証番号と一致する場合に施錠手段を解錠する制御手段とを備えた収納システムが知られている（例えば特許文献２参照）。
【先行技術文献】
【特許文献】
【０００５】
【特許文献１】特開２０００−３２０２１５号公報
【特許文献２】特開平７−２９３０７５号公報
【発明の概要】
【発明が解決しようとする課題】
【０００６】
上記特許文献１に示されるような、施錠・解錠部材と受け部材とを使用する鞄類のファスナー錠においては、ファスナーロックのための部材が鞄類の表側に露出するため、デザイン上の制約があり、デザイン性の高い鞄類への使用は不適当であった。また、上記特許文献２に示されるような収納システムにおいては、ファスナーを備えた鞄類でのデザイン性は何ら考慮されていない。
【０００７】
本発明は、上記課題を解決するものであり、鞄類の外観にロック機構を露出することなく、２個のファスナーのスライダーをロック／アンロックする機能を持たせ、デザイン性及び利便性の良い、鞄類のファスナーロック装置を提供することを目的とする。
【課題を解決するための手段】
【０００８】
本発明は、鞄類の開口に設けられたファスナーのスライダーをロック／アンロックする鞄類のファスナーロック装置において、
前記ファスナーは、２個のスライダーを備え、
前記スライダーの一方の裏面側に、前記２個のスライダーを突き合わせてファスナーを閉じた状態にしたとき前記２個のスライダーを互いにロックするための係合用突起を備え、
前記スライダーの他方の裏面側に、前記２個のスライダーを突き合わせてファスナーを閉じた状態にしたとき前記係合用突起と係合して前記２個のスライダーを互いにロックするロックユニットを備え、
前記ロックユニットは、リモコン装置からの操作指示に応じて動作され前記係合用突起と係合するロック機構と、前記ロック機構を動作させる駆動部と、前記リモコン装置からのワイヤレス信号を受信して前記駆動部の動作を制御する電子回路と、前記駆動部及び電子回路に電源を供給する電源部と、を備えていることを特徴とする。
【発明の効果】
【０００９】
本発明によれば、リモコン装置を用いて遠隔操作により、２個のファスナーのスライダーを任意の位置で鞄類の内側においてロック／アンロックすることができ、鞄類の外観にロック機構を露出することがなくなり、デザイン性及び利便性が良くなる。
【図面の簡単な説明】
【００１０】
【図１】本発明の一実施形態に係るファスナーロック装置を備えた鞄類の斜視図。
【図２】上記鞄類のファスナー部を表面側から見た図。
【図３】上記鞄類の裏面側から見たファスナーロック装置を示し、（ａ）は同ファスナーロック装置におけるファスナーの２個のスライダーがロックされる前の状態を示す図、（ｂ）はファスナーの２個のスライダーがロックされた状態を示す図。
【図４】（ａ）は上記２個のスライダーのうちの一方のスライダーの斜視図、（ｂ）は同スライダーの側面図、（ｃ）は同スライダーの正面図。
【図５】上記２個のスライダーのうちの他方のスライダーに設けられたロックユニットを示す斜視図。
【図６】上記ロックユニットの分解部品図。
【図７】上記ロックユニットのブロック構成図。
【発明を実施するための形態】
【００１１】
以下、本発明の一実施形態に係る鞄類のファスナーロック装置について図面を参照して説明する。図１は本実施形態に係るファスナーロック装置１を備えた鞄類２を示す。ファスナーロック装置１は、鞄類２の開口に設けられたファスナー３の２個のスライダー４，５をロック／アンロック（施錠／解錠）するものである。ファスナー３は、２個のスライダー４，５を備え、一方のスライダー４は、その裏面側に、スライダー４，５を突き合わせてファスナー３を閉じた状態にしたときスライダー４，５を互いにロックするための係合用突起４１を備え、他方のスライダー５は、その裏面側に、スライダー４，５を突き合わせてファスナー３を閉じた状態にしたとき係合用突起４１と係合してスライダー４，５を互いにロックするロックユニット５１を備える。係合用突起４１及びロックユニット５１が、鞄類２の外観に露出することがないので、デザイン性及び利便性が良い。ロックユニット５１は、鞄類２の外から、リモコン装置７、例えばスマートホン等の携帯端末又はパソコンからのワイヤレス信号を受信して動作する。ワイヤレス通信には、例えば、Ｗｉ−Ｆｉ、ブルートゥース（Bluetooth）（登録商標）等の通信手段が用いられる。
【００１２】
鞄類２は、開口部にファスナー３を有した各種の手提げ又はショルダーバッグ、アタッシュケース、リュックサック、スーツケース、収納ケース等を含む。ファスナー３(ジッパーとも言われる)は、テープと、これに固定された噛み合わせエレメントと、エレメントの噛み合わせを開閉するスライダー４，５と、スライダー４，５をユーザが操作するための摘み４２，５２を有する。
【００１３】
図２は、スライダー４，５を突き合わせてファスナー３を閉じた状態にしたときのファスナー３表面側を示す。ファスナー３は、鞄類２の任意の位置で閉じることができる。スライダー４，５を突き合わせた状態としたとき、そのことがスイッチにより検出され、ファスナーロック装置１はロック／アンロック動作可能な待機状態となる（詳細後述）。また、ファスナーロック装置１の故障、及び電源（バッテリ）消耗等により、ロック解除不能になったときに、ロック解除のために外部から手動操作が可能とされており、突き合わせられたスライダー４，５の隙間位置が、手動操作位置Ｐとなる（詳細後述）。
【００１４】
図３（ａ）（ｂ）は、鞄類２の裏面側から見たファスナーロック装置１の構成及び作用を示す。図３（ａ）はファスナーロック装置１におけるファスナー３を閉じる前、つまり２個のスライダー４，５を突き合わせてロックする前の状態を示し、図３（ｂ）は２個のスライダー４，５を突き合わせてファスナー３を閉じ、スライダー４，５をロックした状態を示す。ユーザは、図３（ａ）に示す状態から、鞄類２の外側からファスナー３を閉じるべく摘み４２，５２を移動操作して、スライダー４，５を突き合わせた状態とし、さらにリモコン装置７からロックのための操作指示をすることで、図３（ｂ）に示す状態、つまりスライダー４，５をロック状態とすることができる。
【００１５】
２個のスライダー４，５のうち、一方のスライダー４は、その裏面側に係合用突起４１を備えている。他方のスライダー５は、その裏面側に係合用突起４１との係合を図るためのロックユニット５１を備えている。ロックユニット５１は、係合用突起４１と係合するロック機構５４、スライダー４，５が突き合わされたことを検出するスライダー検出スイッチ６０、及びリモコン装置７からの操作指示に応じてロック機構５４を駆動するための駆動部等（詳細後述）を備えている。ロック機構５４は、スライダー４の係合用突起４１に備えた鍵穴４１ａに貫通される鍵状のロックレバー５４ａを備えている。ロックレバー５４ａは、スライダー５の移動方向に延び、先端がＬ字状に曲がった鍵５４ｂを有し、ロックレバー５４ａが軸心回りに回転駆動されることにより、鍵５４ｂが係合用突起４１の後端面に回り込んで、スライダー４の開き方向への移動を阻止する。スライダー検出スイッチ６０が２個のスライダー４，５の突き合わせを検出すると、ロックユニット５１の駆動部等はロック動作可能な待機状態となる。
【００１６】
ロックレバー５４ａは、ファスナーロック装置１の異常時に、ロック解除のために外部から手動で回転操作される解除用ギア５９を備えている。解除用ギア５９は、突き合わせられたスライダー４，５の隙間の手動操作位置Ｐに対応してロックレバー５４ａに固定されている。ユーザは、鞄類２の外側から手動操作位置Ｐに先端の尖った針状部材又は冶具を刺し込み、解除用ギア５９をロック解除方向に所定角度回転させることで、ロックレバー５４ａをロック解除可能な状態にすることができる。なお、解除用ギア５９は、ファスナーロック装置１の故障及び電源部５７（バッテリ）消耗等によりロック機構５４のロックを解除不能になった時に用いられ、異常時のロック解除を的確に行うことができるが、信頼性の高いロックユニット５１を具現すれば、解除用ギア５９は省くこともできる。
【００１７】
図４は、一方のスライダー４の構成を示す。スライダー４は、ファスナー３のエレメントが通る噛み合わせ用の孔４３を有したスライダー本体の裏面側に係合用突起４１を備え、係合用突起４１は、スライダー４の移動方向に延びる鍵穴４１ａを備え、鍵穴４１ａは、係合用突起４１の背面側が開口４１ｂとなっている。スライダー４，５を突き合わせ方向に移動させるとき、鍵穴４１ａには、スライダー５のロック機構５４のロックレバー５４ａが貫通され、開口４１ｂには、鍵５４ｂが貫通される。
【００１８】
図５は他方のスライダー５に設けられたロックユニット５１を、図６はロックユニット５１の部品構成を示す。スライダー５は、ファスナー３のエレメントが通る噛み合わせ用の孔５３を有したスライダー本体の裏面側にロックユニット５１を備える。ロックユニット５１は、ロック機構５４のロックレバー５４ａを回転動作させるモーター等の駆動部５５と、鞄類２の外にあるリモコン装置７からのワイヤレス信号を受信して駆動部５５の動作を制御する電子回路５６と、駆動部５５及び電子回路５６に電源を供給するバッテリ等の電源部５７と、を備えている。これら各部品は、樹脂製の筐体ケース５８に内蔵されている。筐体ケース５８は、スライダー５の裏面側に取付けられる。ロック機構５４のロックレバー５４ａは、スライダー４，５を突き合わせ方向に移動させるとき、スライダー４の鍵穴４１ａに貫通され、そのとき、ロックレバー５４ａの先端の鍵５４ｂは、スライダー５の背面方向に向いた姿勢（ホームポジション）にあり、スライダー４の鍵穴４１ａの開口４１ｂを通過する。スライダー検出スイッチ６０は、筐体ケース５８のスライダー４との突き合わせ対向面に設けられている。解除用ギア５９は、ロックレバー５４ａの根元部に固定されている。駆動部５５は、その回転出力が減速ギアを介してロック機構５４に伝達されることで、小パワーのもので構わない。
【００１９】
図７は、ロックユニット５１のブロック構成を示す。電子回路５６は、リモコン装置７との間でワイヤレス交信する通信モジュール５６ｃと、この通信モジュール５６ｃによる交信結果に応じて動作するマイコン５６ａと、を備え、マイコン５６ａは、通信モジュール５６ｃを介してリモコン装置７から送出されたロック／アンロック信号を受信したとき、駆動部５５を動作させてロック機構５４を動作させる。また、鞄類２とリモコン装置７とが所定距離以上に離れた状態になったと判定したとき、駆動部５５を動作させてロック機構５４によりスライダー４，５をロックし、又は通信モジュール５６ｃを介してリモコン装置７に警告信号を送出する。なお、リモコン装置７は、ファスナーロック装置１を利用するためのアプリケーションをネットワーク経由で予めダウンロードしておき、マイコン５６ａとの間で通信するための個別のＩＤアドレス、パスワード等を設定しておく。
【００２０】
さらに本実施形態では、ロックユニット５１は、位置検知のためのＧＰＳモジュール５６ｂと、異常検知センサ６１と、ブザー等の異常報知器６２とを備える。ＧＰＳモジュール５６ｂは鞄類２の位置を検知するものである。異常検知センサ６１は、例えばロック機構５４の適宜の位置に設けた圧力センサで成り、スライダー４，５のロック状態においてスライダー４，５に開き方向へ所定以上の応力が加わったことを検知する。異常報知器６２は、鞄類２が異常状態にあることを鞄類２の外に報知する。マイコン５６ａは、ＧＰＳモジュール５６ｂ及び通信モジュール５６ｃからの信号やスライダー検出スイッチ６０、異常検知センサ６１の検知信号に基づいて、駆動部５５、異常報知器６２等を動作させる。
【００２１】
上記のように構成されたファスナーロック装置１の動作を、再度、図３（ａ）（ｂ）を参照して説明する。図３（ａ）に示す、ファスナー３のスライダー４，５がアンロック状態にある状態から、ユーザがファスナー３のスライダー４，５を閉じ方向に移動させ突き合わせると、ホームポジション姿勢のロック機構５４のロックレバー５４ａは、係合用突起４１の鍵穴４１ａに貫通され、鍵５４ｂは鍵穴４１ａの開口４１ｂを通過する。スライダー検出スイッチ６０がスライダー４，５の突き合わせを検出すると、電子回路５６内のマイコン５６ａは、ロック可能な待機状態にあることを認識する。この待機状態において、ユーザが所有するリモコン装置７とロックユニット５１との間で通信可能な状態にあるとき、ロック時にユーザがリモコン装置７を操作してロック信号を送出すると、マイコン５６ａは通信モジュール５６ｃを介してリモコン装置７から送出されたロック信号を受信する。すると、マイコン５６ａは、駆動部５５を動作させ、ロック機構５４のロックレバー５４ａを所定角度（例えば９０度）回転させる。これにより、図３（ｂ）に示すように、ロックレバー５４ａの先端の鍵５４ｂが係合用突起４１の後端面に回り込んで、スライダー４をロックする。
【００２２】
このように、ロック動作時に、ロック機構５４のロックレバー５４ａを係合用突起４１の鍵穴４１ａに貫通させ、同時に鍵５４ｂを開口４１ｂに通過させ、次いでロックレバー５４ａを軸心回りに回転させるだけで、スライダー４，５をロックすることができる。ここに、鍵穴４１ａ及びロックレバー５４ａは、スライダー４，５の移動方向に延びる簡単な構成でもって、容易かつ確実にロック動作が得られる。なお、ロック機構５４及び係合用突起４１の構成は、上記に限られることなく、任意に変更することができ、例えば、ロックレバー５４ａを枠体とし、この枠体を係合用突起４１に被せるように回動させてロックする構成としてもよい。
【００２３】
ロックを解除するには、ユーザが、リモコン装置７を操作してアンロック信号を送出すると、マイコン５６ａは、通信モジュール５６ｃを介してリモコン装置７から送出されたアンロック信号を受信する。すると、マイコン５６ａは、駆動部５５を上記とは逆に動作させ、ロックレバー５４ａを所定角度回転させ、これにより、ロックレバー５４ａの鍵５４ｂは、鍵穴４１ａの開口４１ｂを通過可能となり、ロックレバー５４ａはスライダー４の係合用突起４１の鍵穴４１ａから抜け出し、スライダー４はアンロック状態になる。
【００２４】
かくして、本実施形態のファスナーロック装置１によれば、ユーザはリモコン装置７を用いて遠隔操作により鞄類２のファスナー３のスライダー４，５のロック／アンロック（施錠／解錠）を、鞄類２の内側に設けたロックユニット５１で行うことが可能となる。このことは、鞄類２の外観デザインに全く影響を与えることなく鞄類２にロック機能を付与できることになり、鞄類２の外観デザインの自由度、及び利便性に大きく貢献できる。また、ロックユニット５１は鞄類２の内側に設けられことから、強固なロック機能を持つように設計する自由度も大きい。
【００２５】
また、マイコン５６ａは、通信モジュール５６ｃを介して鞄類２とリモコン装置７との距離を認識しており、鞄類２がリモコン装置７から所定距離以上に離れた状態になったと判定したとき、セキュリティーモードとして、ロック機構５４を自動動作させてスライダー４，５をロックし、必要に応じて異常報知器６２を作動させ、又は通信モジュール５６ｃを介してリモコン装置７に警告信号を送出する。これにより、ユーザが鞄類２を置き忘れ、又は鞄類２が不審者により持ち逃げされることを防止することができる。セキュリティーモードの距離は、任意に複数段階に設定可能である。例えば、第１設定の距離で、ユーザの持つリモコン装置７から鞄類２が離れると、自動的に鞄類２のロックが施錠され、さらに第２設定の距離で、鞄類２を置き忘れたり、他人に持ち去られたりして離れると、鞄類２側は警報ブザーが鳴り、盗難等の抑止効果が働き、また、ユーザのリモコン装置７に自動通知で知らせることができる。また、鞄類２の紛失、盗難時には、ＧＰＳモジュール５６ｂを用いた追跡機能により、鞄類２の発見、回収が容易に可能となる。
【００２６】
さらにまた、スライダー４，５のロック状態において、スライダー４，５に開き方向へ所定以上の応力が加わったとき、ロックレバー５４ａに応力が掛かるので、異常検知センサ６１がそれを検知する。マイコン５６ａは異常検知信号を受けると、鞄類２に不正行為が成されている等、異常状態にあると判定し、異常報知器６２を動作させて音声等により警告を発する。このとき、マイコン５６ａは通信モジュール５６ｃを介してリモコン装置７に警告信号、又は電子メールを送出するようにしてもよい。なお、検知した情報は、アプリケーションシステム側に日時、回数を記録するようにもできる。
【００２７】
なお、本発明は、上記実施形態の構成に限られず、種々の変形が可能である。例えば、リモコン装置７は、本装置専用の端末であってもよく、係合用突起４１及びロックユニット５１は鞄類２のスライダー４，５に後付けできるものであってもよい。また、駆動部５５は、モーターに限られず、プランジャーのような駆動機構を用いてもよい。スライダー検出スイッチ６０、異常検知センサ６１、異常報知器６２等は、備えていることが望ましいが、必ずしもこれらを備えている必要はない。また、リモコン装置７としてスマホを用い、Ｗｉ−Ｆｉ通信でアクセスポイントとインターネットを利用すれば、位置情報は取得できるので、ＧＰＳモジュール５６ｂを用いることなく、同等の作用を得ることができる。また、ユーザが信頼のできる第三者の携帯端末に電子キーを送信し、その電子キーにより解錠できるようにし、また、ワンタイムキーを用いて特定の人のみがロックを解除できるようにすることも可能である。また、本発明は、鞄類のファスナーロック装置として説明したが、鞄類以外にも、収納ケース扉や、事務机引き出し等にもスマートロックとして応用でき、そのような用途に適用した形態をも含むものである。
【符号の説明】
【００２８】
１  ファスナーロック装置
２  鞄類
３  ファスナー
４  （一方の）スライダー
４１  係合用突起
４１ａ  鍵穴
４１ｂ  開口
４２  摘み
５  （他方の）スライダー
５１  ロックユニット
５２  摘み
５４  ロック機構
５４ａ  ロックレバー
５４ｂ  鍵
５５  駆動部
５６  電子回路
５６ａ  マイコン
５６ｂ  ＧＰＳモジュール
５６ｃ  通信モジュール
５７  電源部
５８  筐体ケース
５９  解除用ギア
６０  スライダー検出スイッチ
６１  異常検知センサ
６２  異常報知器
７  リモコン装置
Ｐ  ロック解除のための手動操作位置
【図１】
2019065535.tif 000003
【図２】
2019065535.tif 000004
【図３】
2019065535.tif 000005
【図４】
2019065535.tif 000006
【図５】
2019065535.tif 000007
【図６】
2019065535.tif 000008
【図７】
2019065535.tif 000009
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
鞄類の開口に設けられたファスナーのスライダーをロック／アンロックする鞄類のファスナーロック装置において、
前記ファスナーは、２個のスライダーを備え、
前記スライダーの一方の裏面側に、前記２個のスライダーを突き合わせてファスナーを閉じた状態にしたとき前記２個のスライダーを互いにロックするための係合用突起を備え、
前記スライダーの他方の裏面側に、前記２個のスライダーを突き合わせてファスナーを閉じた状態にしたとき前記係合用突起と係合して前記２個のスライダーを互いにロックするロックユニットを備え、
前記ロックユニットは、鞄類の外にある携帯端末又はパソコンからの操作指示に応じて動作され前記係合用突起と係合するロック機構と、前記ロック機構を動作させる駆動部と、前記携帯端末又はパソコンからのワイヤレス信号を受信して前記駆動部の動作を制御する電子回路と、前記駆動部及び電子回路に電源を供給する電源部と、を備えていることを特徴とする鞄類のファスナーロック装置。
【請求項２】
前記係合用突起は、前記スライダーの移動方向に延びる鍵穴を備え、
前記ロック機構は、前記２個のスライダーを突き合わせてファスナーを閉じた状態にしたとき前記鍵穴に貫通される鍵状のロックレバーを備え、
前記ロックレバーは、前記スライダーのロック時に前記駆動部により回転駆動されることにより前記係合用突起との係合をロックすることを特徴とする請求項１に記載の鞄類のファスナーロック装置。
【請求項３】
前記ロックユニットは、前記２個のスライダーが突き合わされたことを検出するスイッチを備え、前記スイッチにより前記２個のスライダーが突き合わされたことが検出されると、前記駆動部が動作可能な待機状態となり、
前記ロック機構は、異常時にロック解除のために外部から手動で回転操作される解除用ギアを備えていることを特徴とする請求項１又は請求項２に記載の鞄類のファスナーロック装置。
【請求項４】
前記電子回路は、前記携帯端末又はパソコンとの間でワイヤレス交信する通信モジュールと、この通信モジュールによる交信結果に応じて動作するマイコンと、を備え、
前記マイコンは、前記通信モジュールを介して前記携帯端末又はパソコンから送出されたロック／アンロック信号を受信したとき、前記駆動部を動作させて前記ロック機構を動作させ、また、鞄類と前記携帯端末又はパソコンとが所定距離以上に離れた状態になったと判定したとき、前記駆動部を動作させて前記ロック機構によりスライダーをロックし、又は前記通信モジュールを介して前記携帯端末又はパソコンに警告信号を送出する、ことを特徴とする請求項１乃至請求項３のいずれか一項に記載の鞄類のファスナーロック装置。
【手続補正２】
【補正対象書類名】明細書
【補正対象項目名】０００８
【補正方法】変更
【補正の内容】
【０００８】
本発明は、鞄類の開口に設けられたファスナーのスライダーをロック／アンロックする鞄類のファスナーロック装置において、
前記ファスナーは、２個のスライダーを備え、
前記スライダーの一方の裏面側に、前記２個のスライダーを突き合わせてファスナーを閉じた状態にしたとき前記２個のスライダーを互いにロックするための係合用突起を備え、
前記スライダーの他方の裏面側に、前記２個のスライダーを突き合わせてファスナーを閉じた状態にしたとき前記係合用突起と係合して前記２個のスライダーを互いにロックするロックユニットを備え、
前記ロックユニットは、鞄類の外にある携帯端末又はパソコンからの操作指示に応じて動作され前記係合用突起と係合するロック機構と、前記ロック機構を動作させる駆動部と、前記携帯端末又はパソコンからのワイヤレス信号を受信して前記駆動部の動作を制御する電子回路と、前記駆動部及び電子回路に電源を供給する電源部と、を備えていることを特徴とする。